(57)【特許請求の範囲】
【請求項１】
少なくとも底部に雨水排出孔を有する雨水浸透枡を地中に埋設するための工法であって、
（１）掘削用管状ケーシングを掘削位置に配置する工程、
（２）前記ケーシングを地中に圧入しながら、前記ケーシング内の地盤を掘削することにより掘削坑を設ける工程、
（３）前記掘削坑の少なくとも底部に水浸透層を形成する工程、
（４）掘削された前記ケーシング内の空間に雨水浸透枡を配置する工程、
（５）前記ケーシングを上方に引き上げながら雨水浸透枡と地盤との隙間にスラリー状組成物であるコンクリートを充填する工程
を含む、雨水浸透枡の埋設工法。
【請求項２】
前記（５）の工程において、前記ケーシングを引き上げた分に相当する空間をスラリー状組成物であるコンクリートで充填しながら当該工程を実施する、請求項１に記載の埋設工法。
【請求項３】
前記（５）の工程において、前記ケーシングで雨水浸透枡を支持しながら当該工程を実施する、請求項１又は２に記載の埋設工法。
【請求項４】
雨水浸透枡の側面にもさらに雨水排出孔を有する、請求項１〜３のいずれかに記載の埋設工法。
【請求項５】
雨水浸透枡の形状が円筒状である、請求項１〜４のいずれかに記載の埋設工法。
【請求項６】
雨水浸透枡の長手方向が地盤に対して鉛直となるように配置される、請求項１〜５のいずれかに記載の埋設工法。
【発明の詳細な説明】
【技術分野】
【０００１】
本発明は、雨水浸透枡を地中に埋設するための新規な工法に関する。
【背景技術】
【０００２】
近年、局地的な集中豪雨（いわゆるゲリラ豪雨）による浸水被害が多発している。ゲリラ豪雨は、単位時間当たりの降雨量が極めて多いという特徴を有する。郊外では、例えば田畑、森林、ため池等が貯水の役割を果たすため、多量の雨水を蓄えることができる。これに対し、都市部では、下水道が整備されているものの、ゲリラ豪雨による多量の雨水が短時間に下水道に流れ込むため、直ちに溢れ出し、多くの浸水被害をもたらす結果となっている。このため、特に都市部においては地下貯水槽等を設置する方策もとられているが、地上から地下貯水槽までの通水路が許容量を超えてしまうと、結局は浸水被害につながってしまうため、地下貯水槽等の設置も決して十分な対応策とは言えないのが現状である。
【０００３】
これに対し、多量の雨水をすぐに貯水することができる雨水浸透枡の設置が注目されつつある。雨水浸透枡は、その開口部が地上に向けて埋設されるので、雨水を直接的に貯めることができ、しかもその後に地中に浸透させることができる。その結果として多量の雨水が短時間で下水道に流れ込む事態を回避ないしは緩和することができる。このような雨水浸透枡は、例えば地上に穴を掘り、底部に栗石、砂利等を敷いて、その上に雨水浸透枡を据え付ける方法によって埋設されている（特許文献１、特許文献２等）。
【先行技術文献】
【特許文献】
【０００４】
【特許文献１】特開平１０−１６８９８３
【特許文献２】特開平９−４０３４
【発明の概要】
【発明が解決しようとする課題】
【０００５】
しかしながら、これら従来技術にあるように雨水浸透枡の形状は縦長であるため、そのような縦長の穴（掘削坑）を設ける必要があるものの、通常の掘削方法では工期が比較的長期にわたるため、その点において改善の余地がある。
【０００６】
また、特に都市部においては、雨水浸透枡を設置する場所の省スペース化の要請が高いために開口部がより小さく、なおかつ、より高い貯水量を維持するためにより深い穴を設ける必要があるが、通常の工法でそのような掘削坑を形成することは容易ではない。
【０００７】
従って、本発明の主な目的は、開口部がより小さく、かつ、より深い雨水浸透枡でも効率的に設置することができる工法を提供することにある。
【課題を解決するための手段】
【０００８】
本発明者は、従来技術の問題点に鑑みて鋭意研究を重ねた結果、特定の工程を含む工法を採用することにより上記目的を達成できることを見出し、本発明を完成するに至った。
【０００９】
すなわち、本発明は、下記の雨水浸透枡の埋設工法に係る。
１．  少なくとも底部に雨水排出孔を有する雨水浸透枡を地中に埋設するための工法であって、
（１）掘削用管状ケーシングを掘削位置に配置する工程、
（２）前記ケーシングを地中に圧入しながら、前記ケーシング内の地盤を掘削することにより掘削坑を設ける工程、
（３）前記掘削坑の少なくとも底部に水浸透層を形成する工程、
（４）掘削された前記ケーシング内の空間に雨水浸透枡を配置する工程、
（５）前記ケーシングを上方に引き上げながら雨水浸透枡と地盤との隙間にスラリー状組成物であるコンクリートを充填する工程
を含む、雨水浸透枡の埋設工法。
２．  前記（５）の工程において、前記ケーシングを引き上げた分に相当する空間をスラリー状組成物であるコンクリートで充填しながら当該工程を実施する、前記項１に記載の埋設工法。
３．  前記（５）の工程において、前記ケーシングで雨水浸透枡を支持しながら当該工程を実施する、前記項１又は２に記載の埋設工法。
４．  雨水浸透枡の側面にもさらに雨水排出孔を有する、前記項１〜３のいずれかに記載の埋設工法。
５．  雨水浸透枡の形状が円筒状である、前記項１〜４のいずれかに記載の埋設工法。
６．  雨水浸透枡の長手方向が地盤に対して鉛直となるように配置される、前記項１〜５のいずれかに記載の埋設工法。
【発明の効果】
【００１０】
本発明の埋設工法によれば、開口部がより小さく、かつ、より深い雨水浸透枡でも効率的に設置することができる。これにより、狭いスペースでより大きな貯水量をもつ雨水浸透枡を設置することができる。特に、従来の工法では設置が困難な細長の雨水浸透枡も比較的容易に設置することも可能である。このため、ゲリラ豪雨による多量の雨水を即座に貯めることができ、かつ、地中に浸透させることができる。その結果、下水道に流れ込む雨水量の軽減を図ることができ、地上での浸水・増水氾濫の未然防止に貢献することができる。
【００１１】
また、本発明の工法では、掘削用ケーシングの取り外しと充填材の充填とを並行して実施するため、工期も比較的短期間で済ませることができる。例えば、充填材としてコンクリート等の水混練物を用いて打設する場合においては、掘削用管状ケーシングを上方に引き上げながら雨水浸透枡と地盤との隙間に水混練物を充填するので、雨水浸透枡の固定と掘削坑の壁面・底面の養生を同時に行うことができる。この点からも、工期の短縮化に貢献することができる。
【００１２】
さらに、内径の異なる掘削用ケーシングを複数用意することにより、設置場所のスペース等に応じた設置に対応することができ、なおかつ、そのようなスペース等の事情にかかわらず短い工期で雨水浸透枡を設置することもできる。
【図面の簡単な説明】
【００１３】
【図１】本発明工法の工程を示す概略図である。
【図２】本発明工法の工程を示す概略図である。
【図３】本発明工法の工程を示す概略図である。
【図４】本発明工法の工程を示す概略図である。
【図５】本発明工法の工程を示す概略図である。
【図６】本発明工法の工程を示す概略図である。
【図７】本発明工法の工程を示す概略図である。
【図８】図８（ａ）は、本発明工法で使用する掘削用管状ケーシングの斜視図である。図８（ｂ）は、本発明工法で使用する掘削用管状ケーシングを側面からみた模式図である。
【発明を実施するための形態】
【００１４】
本発明における雨水浸透枡の埋設工法は、少なくとも底部に雨水排出孔を有する雨水浸透枡を地中に埋設するための工法であって、
（１）掘削用管状ケーシングを掘削位置に配置する工程（ケーシング配置工程）、
（２）前記ケーシングを地中に圧入しながら、前記ケーシング内の地盤を掘削することにより掘削坑を設ける工程（圧入・掘削工程）、
（３）前記掘削坑の少なくとも底部に水浸透層を形成する工程（水浸透層形成工程）、
（４）掘削された前記ケーシング内の空間に雨水浸透枡を配置する工程（雨水浸透枡配置工程）、
（５）前記ケーシングを上方に引き上げながら雨水浸透枡と地盤との隙間に充填材を充填する工程（充填工程）
を含む
を含むことを特徴とする。以下に各工程について説明する。
【００１５】
ケーシング配置工程
ケーシング配置工程では、掘削用管状ケーシングを掘削位置に配置する。管状掘削用ケーシング（以下、単に「ケーシング」ともいう。）としては、公知又は市販のものを使用することができる。管状掘削用ケーシングの形状としては、例えば図８（ａ）に示すように、上方開口部２及び下方開口部３を有する円筒状ケーシング１を好適に用いることができる。また、図８（ｂ）に示すように、ケーシング１の下方開口部３の縁部は、地中に圧入しやすいように歯状に加工されている。
【００１６】
管状掘削用ケーシングの大きさは、埋設するタンク類の大きさ等に応じて適宜設定することができる。また、ケーシングは１つだけ用いても良いし、２つ以上を継いで使用することもできる。２つ以上を用いる場合は、溶接等により継ぎ合わせれば良い。
【００１７】
圧入・掘削工程
圧入・掘削工程では、前記ケーシングを地中に圧入しながら、前記ケーシング内の地盤を掘削する。圧入・掘削工程自体は、公知の工法（いわゆるＰＩＴ工法）に従って揺動圧入式立坑構築機（揺動圧入機）を用いることによって実施することができる。例えば、掘削用管状ケーシングを揺動しながら地中に圧入し、その土留された前記ケーシング内の地盤を掘削し、立坑を構築すれば良い。この場合、掘削用管状ケーシングの外から内側に届く掘削機を用い、前記ケーシングに囲まれた領域の地盤を掘削し、土砂をケーシング外に排出することにより掘削することができる。
【００１８】
なお、管状掘削用ケーシングが地下にある程度圧入されると、その管状掘削用ケーシングを直接的に揺動圧入式立坑構築機では圧入しにくくなることがあるが、その場合はさらに仮設ケーシングをその管状掘削用ケーシング上に継ぎ足して、その仮設ケーシングを揺動圧入式立坑構築機により圧入することにより、その管状掘削用ケーシングを完全に地中に圧入することが可能となる。管状掘削用ケーシングを地中に圧入した後は、仮設ケーシングを撤去すれば良い。
【００１９】
掘削により形成される掘削坑はケーシングを用いるのでそれに対応した略円筒形状となるが、本発明では特に縦長の形状とすることが好ましい。換言すれば、掘削坑の直径よりも深い掘削坑とすることが望ましい。例えば、掘削坑の直径の１．５倍以上（特に２倍以上）の深さを有する掘削坑を形成することが好ましい。これにより、雨水浸透枡を縦長に設置することができるので、省スペース化等を図ることができる。
【００２０】
水浸透層形成工程
水浸透層形成工程では、前記掘削坑の少なくとも底部に水浸透層を形成する。
【００２１】
水浸透層は、通常の雨水浸透枡の設置で使用されているものと同様のものを使用することもできる。例えば、掘削坑の底部に砂利、栗石、川石、砕石、コンクリート骨材、川砂等を敷き詰めることによって形成することができる。ここで使用される砂利等の大きさは限定的ではないが、通常は直径０．５〜１０ｃｍ程度の範囲内において、例えば設置する雨水浸透枡の大きさ、雨水を浸透させる速度等に応じて適宜設定することができる。
【００２２】
また、水浸透層の厚み（高さ）は特に制限されないが、一般的には１〜１００ｃｍ程度の範囲内において、例えば設置する雨水浸透枡の大きさ等に応じて適宜設定することができる。
【００２３】
本発明では、雨水浸透枡は少なくとも少なくとも底部に雨水排出孔を有するものであるが、必要に応じて雨水浸透枡の側面にも雨水排出孔を設けることができる。この場合は、掘削坑の側面にも水浸透層を形成することができる。この場合は、雨水浸透枡を配置した後に、雨水浸透枡と掘削坑との隙間に前記のような充填材を充填すれば良い。
【００２４】
雨水浸透枡配置工程
雨水浸透枡配置工程では、掘削された前記ケーシング内の空間に雨水浸透枡を配置する。この場合、雨水浸透枡は、管状のケーシングの上方の開口部から装填し、掘削された底部（地盤）まで降ろす。このときの雨水浸透枡の昇降は、一般的なクレーン等を使用して実施すれば良い。
【００２５】
雨水浸透枡配置工程では、雨水浸透枡の長手方向が地盤に対して鉛直となるように配置されることが好ましい。例えば、図４に示すように、円筒状の雨水浸透枡の場合は、その底面が底部に着地するように配置すれば良い。
【００２６】
本発明で用いる雨水浸透枡そのものは特に限定されず、公知又は市販のものを使用することができる。従って、例えば底面のみに複数の雨水排出孔を有する雨水浸透枡、底面及び側面に複数の雨水排出孔を有する雨水浸透枡、連結管を取り付け口を有する複数の雨水排出孔を有する雨水浸透枡等のいずれも採用することができる。
【００２７】
また、雨水浸透枡を構成する材質も限定されず、例えば合成樹脂製（ポリプロピレン樹脂、ポリ塩化ビニル樹脂等）、金属製、コンクリート製（コンクリート二次製品も含む。）等のいずれであっても良い。なお、水よりも比重が軽い合成樹脂製の雨水浸透枡を用い、かつ、後記の充填工程において充填材としてコンクリート、モルタル等の水性スラリーを使用する場合は、雨水浸透枡を水性スラリー（硬化前のスラリー）上に浮上させることができるため、例えば雨水浸透枡が配置される領域の床面に予めコンクリート基礎床を形成させる工程を省略することができる。合成樹脂製の雨水浸透枡としては、例えば熱可塑性樹脂又は熱硬化性樹脂から構成される雨水浸透枡のほか、これらの合成樹脂を繊維で強化した繊維強化プラスチック（ＦＲＰ）から構成される雨水浸透枡を好適に用いることができる。これらは公知又は市販の雨水浸透枡を採用することができる。
【００２８】
雨水浸透枡の形状は特に限定されず、例えば直方体、立方体、円筒状等のいずれであっても良いが、一般的には円筒状の雨水浸透枡を好適に用いることができる。つまり、水平断面形状が円形の雨水浸透枡を用いることができる。より具体的には、雨水浸透枡の外径ｄよりもその長さＬが大きな（すなわち、ｄ＜Ｌの関係にある）形状をもつ雨水浸透枡を好適に用いることができる。より好ましくは、外径ｄの１．５倍以上（特に２倍以上）の長さＬを有する雨水浸透枡を用いる。
【００２９】
さらに、円筒状の雨水浸透枡の外径ｄは、ケーシングの内径Ｄよりも小さいものであれば特に制限されないが、特にケーシングの内径Ｄの８５〜９８％程度の範囲内とすることが好ましい。これにより、ケーシングによって雨水浸透枡を効果的に支持できるので、雨水浸透枡の設置を効率的に行うことができる。
【００３０】
充填工程
充填工程では、前記ケーシングを上方に引き上げながら雨水浸透枡と地盤との隙間に充填材を充填する。ケーシングを引き上げる手段としては、公知のクレーン等（油圧揺動機）を使用すれば良い。また、引き上げ方法は、一定の速度で引き上げる方法のほか、断続的に引き上げる方法等のいずれであっても良い。
【００３１】
充填材としては、前記隙間を埋めることによって雨水浸透枡を実質的に固定できるものであれば良く、例えばコンクリート、モルタル、砂利、骨材、砂等を使用することができる。
【００３２】
充填材による充填は、基本的には、ケーシングを引き上げた分に相当する空間を充填材で充填しながら実施することが好ましい。つまり、ケーシングを引き上げたときに空間が形成されるが、その空間を埋めるのに十分な量の充填材を順に充填する。これによって、充填材の充填とケーシングの引き上げとを並行して実施することができ、工期の短縮等に寄与することができる。
【００３３】
ケーシングを引き上げながら順に充填材を充填し、ケーシングをすべて引き上げた後には、雨水浸透枡の上面以外の周囲はすべて充填材で充填されることになる。充填材としてコンクリート、モルタル等の水混練物を使用する場合は、前記充填後に養生硬化させることによって雨水浸透枡が硬化体で地中に固定される。
【実施例】
【００３４】
以下に実施例を示し、本発明の特徴をより具体的に説明する。ただし、本発明の範囲は、実施例に限定されない。
【００３５】
実施例１
本発明工法に従った雨水浸透枡の埋設方法の一例を図面に従って説明する。まず、図１に示すように、地盤２１の掘削位置に掘削用管状ケーシング１を配置する。このケーシング１は、図８に示すような鋼製管状ケーシングであり、外径約２．５ｍ×長さ約２．５ｍのケーシングの２つを溶接により継ぎ合わせて使用する。
【００３６】
次いで、図２に示すように、市販の揺動圧入機（図示せず）を用いて掘削用管状ケーシング１を鉛直方向に地盤に圧入する。ケーシング１の鉛直性は傾斜計等を測定すれば良い。そして、掘削用管状ケーシング１内の地盤を掘削機によって掘削する。この場合、ケーシングの圧入が、常に掘削よりも先行するように圧入深さと掘削深さを監視する。掘削された土砂は掘削用管状ケーシング１の外に排出され、ダンプカー等で別の場所に運搬される。このようにして、掘削用管状ケーシング１は、圧入・掘削された分だけ地中に降下していく。このような作業を進めることにより、最終的には、図３のように掘削用管状ケーシング１はすべて地中２１に埋め込まれた状態となる。これにより掘削坑が形成される。
【００３７】
次いで、図３に示すように、掘削坑の底部に砂利を敷き詰めることによって水浸透層３１を形成する。ここで使用した砂利は大きさが約５〜１０ｃｍであり、水浸透層の厚みは約５０ｃｍとした。
【００３８】
その後、図４（ａ）に示すように、地中に埋め込まれた掘削用管状ケーシング１の空間にコンクリート製雨水浸透枡４１を配置する。この雨水浸透枡４１は、底部にコンクリートスラブ材４２が設けられており、そのコンクリートスラブ材４２には図４（ｂ）に示すように複数の雨水排出孔（直径約５０ｍｍ）が形成されている。雨水浸透枡の大きさは、外径約２．５ｍ×長さ約５ｍである。雨水浸透枡４１をクレーン機で持ち上げ、雨水浸透枡４１の開口部（雨水流入口）が上方となり、かつ、雨水浸透枡４１の長手方向が地盤に対してほぼ垂直状態となるように、掘削用管状ケーシング１の内側に挿入する。この場合、設置する雨水浸透枡の重量等に応じて、雨水浸透枡４１の配置に先立って、掘削された掘削坑の底部（地盤）にコンクリートを打設して予め底盤スラブを形成しても良い。
【００３９】
次いで、図５に示すように、掘削された地中の底部まで雨水浸透枡４１を降ろし、着底させる。この場合、必要に応じて、側面（掘削用管状ケーシングと雨水浸透枡との隙間）にも砂利を充填することによって、側面の一部又は全部にも水浸透層を形成することができる。
【００４０】
雨水浸透枡を上記の掘削坑の底部に着底させた後、掘削用管状ケーシング１の引き上げ（撤去）を行いながら、コンクリート（モルタル）の打設を行う。図６には、掘削用管状ケーシング１を少し引き上げた状態を示す。掘削用管状ケーシングの引き上げはクレーン等を用いて実施する。そして、図６に示すように、掘削用管状ケーシング１を引き上げた分に対応する部分にコンクリート２２を打設する。これらの一連の工程を繰り返しながら、雨水浸透枡の周囲をコンクリート（スラリー状組成物）で充填していく。最終的には、掘削用管状ケーシング１を完全に引き上げた後には、図７に示すように、雨水浸透枡４１の地下の周囲全部がコンクリートで充填され、養生されることによってコンクリート硬化体で固定されると同時に、掘削坑の壁面及び底部がコンクリート硬化体で保護される。このようにして、雨水浸透枡４１を地中に埋設することができる。また、図７に示すように、必要に応じて雨水浸透枡４１内の底部にも砂利を敷いて水浸透層３１ｂを形成しても良い。
【図１】
0005813569.tif 000002
【図２】
0005813569.tif 000003
【図３】
0005813569.tif 000004
【図４】
0005813569.tif 000005
【図５】
0005813569.tif 000006
【図６】
0005813569.tif 000007
【図７】
0005813569.tif 000008
【図８】
0005813569.tif 000009